(57)【要約】【課題】航海をしながらコンサートを行い、ステージの後方に設けられた大きな窓を通して洋上の風景を動く背景として、該ステージ上で演奏されるコンサートを演出できる舞台船を提供する。【解決手段】航海をしながら船内でコンサートを鑑賞するための舞台船であって、該コンサートホールの船首側に設けられたステージと、該ステージの艫側に設けられ後方に行くほど高くなる階段状客席と、該ステージの該客席と反対側に設けられた船外の風景が映し出される窓と、を少なくとも備え、前記窓の風景を背景として前記ステージで前記コンサートができることを特徴とする。【選択図】図１
2020032792.tif 000002
【特許請求の範囲】
【請求項１】
航海をしながら船内でコンサートを行い、該コンサートを鑑賞するための舞台船であって、該コンサートを行うコンサートホールの船首側に設けられたステージと、該ステージの艫側に設けられ後方に行くほど高く配置された階段状客席と、該ステージの該客席と反対側に設けられて船外の風景が映し出される窓と、を少なくとも備え、前記窓に映った風景を背景として前記ステージで前記コンサートができることを特徴とする舞台船。
【請求項２】
前記窓が、少なくとも前記ステージの後方幅全体の位置にあり、該窓の高さが２．５ｍ以上であることを特徴とする請求項1に記載の舞台船。
【請求項３】
前記舞台船の前記コンサートを鑑賞する観客のために宿泊設備を設けたことを特徴とする請求項1又は２に記載の舞台船。
【発明の詳細な説明】
【技術分野】
【０００１】
本発明は、専らコンサートを行うための船であって、客席からの景観と演奏・演出を一体として鑑賞できる舞台船に関するものである。
【背景技術】
【０００２】
従来、ライブハウスは、俗に「箱ライブ」と呼ばれ、狭い店内で演奏されており、店内で演奏者と観客が一体感を共有することができるので、コンサートが大変盛り上がっていた。しかしながら、ライブハウスは、騒音対策のため地下に設けられることが多く、狭くて暗いので、コンサート会場として開放感がなく、明るく華やかな雰囲気下で鑑賞しにくかった。そこで、騒音を気にせずに明るい雰囲気でコンサートを行える会場として、野外音楽場が使用されてきた。
【０００３】
しかしながら、そのような野外音楽場は、交通の便の悪い郊外に設けられていることが多く、また、野外ステージなので開催が天候に左右されてしまうという問題があった。
【０００４】
そこで、郊外よりも利便性が高い町の港から出航して、イベント開催の適性がある地点まで船を航行させてイベントを開催できる発明がなされており、例えば、イベントをクルーズ船内で開催できるクルーズ船およびイベントの開催方法の先行技術が開示されている（参考文献１）。
【先行技術文献】
【特許文献】
【０００５】
【特許文献１】再公表２００７−０２０６７６号公報
【発明の概要】
【発明が解決しようとする課題】
【０００６】
特許文献の先行技術は、世界各地に移動して、しかも安全に開催できる点で優れているが、船外の風景とコンサートとを一体として演出していないので、コンサートのインパクトが平凡で小さく、また、盛り上がりに欠けるというおそれがあった。また、様々な目的の乗客がいるので、乗客同士に連帯感や一体感がわきにくいという問題があった。
【０００７】
本発明は、これらの問題を解決したものであって、専ら航海をしながらコンサートを行い、ステージの後方に設けられた大きな窓を介して映し出される洋上の風景を動く背景として、該ステージ上で演奏されるコンサートと一体となった演出を、観客が鑑賞することができる舞台船を提供するものである。
【課題を解決するための手段】
【０００８】
上記の目的を達成するために、本願発明の請求項１に係る舞台船は、航海をしながら船内でコンサートを行い、該コンサートを鑑賞するための舞台船であって、該コンサートを行うコンサートホールの船首側に設けられたステージと、該ステージの艫側に設けられ後方に行くほど高く配置された階段状客席と、該ステージの該客席と反対側に設けられて船外の風景が映し出される窓と、を少なくとも備え、前記窓に映った風景を背景として前記ステージで前記コンサートができることを特徴とする。
【０００９】
この構成を採用することにより、本願発明に係る請求項１の舞台船は、コンサートを行う専用の船であって、コンサートホールを設けており、該コンサートホール内に、コンサートを行うステージと、ステージの前面（艫側）に設けられた階段状の客席と、ステージの後方（船首側）に設けられた船外の風景が映し出される大型の透明な窓と、を備えている。よって、本発明に係る舞台船のステージ上で、航海中に、コンサートを行うと、観客たちは、階段状のあらゆる客席から、コンサートの演奏者と窓に映し出される動く風景を背景として、一体的に鑑賞することができる。窓に映し出された動く風景と、そのコンサートの演奏と、が一体として演出されるので、そのコンサートを鑑賞する観客は、その瞬間、瞬間にしか鑑賞できない自然の風景と演奏者との融合を特別に鑑賞することができる。
【００１０】
また、本発明に係る舞台船は、客席が船の進行方向を観るように設けられており、進行方向の風景がコンサートホール窓に映し出されるので、ステージの背景が流れる景色となって、コンサートの演奏者を浮かび上がらせる効果がある。また、同じコンサートであっても時間帯によって、朝日や夕日が背景に映し出されて、観客により強い感動を与える効果がある。また、夏や海をイメージする楽曲を演奏すれば、窓に映し出される生の風景との相乗効果がある。また、船の揺れと楽曲のリズムとの相乗効果が期待でき、コンサートをより盛り上げることができる。
【００１１】
また、本発明に係る舞台船の乗客（観客）は、コンサートを鑑賞するために乗船しているので、乗客全体がコンサートの鑑賞を通じて盛り上がると共に同じ目的地に向かって航海しているので、一つのグループの仲間として船の乗客同士の強い連帯感が生まれる。よって、観客は、通常の船旅やコンサートにそれぞれ単体で参加するよりも、盛り上がって記憶に残る船旅や鑑賞をすることができる。
【００１２】
また、本発明に係る舞台船は、専らコンサートのための専用船であって、航海している船でコンサートを開くので、コンサートの演奏者や主催者は、第三者に対して、騒音に対して気を遣う必要がない。また、ステージと客席が船内であるので、悪天候の際でもコンサートを行うことができる。よって、演奏者や主催者や観客は、天候に左右されることなくスケジュールを組むことができる。
【００１３】
本発明に係る請求項２の舞台船は、請求項１に記載の舞台船において、前記窓が、少なくとも前記ステージの後方幅全体の位置にあり、該窓の高さが２．５ｍ以上であることを特徴とする。また、本発明に係る請求項３の舞台船は、請求項１又は２に記載の舞台船において、前記舞台船の前記コンサートを鑑賞する観客のために宿泊設備を設けたことを特徴とする。
【００１４】
本発明に係る舞台船は、ステージの後方全体に高さ２．５ｍ以上の窓が設けられているので、階段状の全ての客席から、船外の風景を観ることができる。よって、どの客席に座っても観客は、コンサートの演奏と窓に映し出される船外の風景との調和を楽しむことができる。大型の窓を設けているので、船外の風景によって、コンサートが清清しさや爽やかさを得る効果がある。
【００１５】
また、本発明に係る舞台船は、コンサートを鑑賞する乗客のための宿泊設備を備えているので、短時間の日帰りコンサートだけでなく、長期間、長時間に亘るコンサートもできる。よって、観客である乗客は、満足いくまでコンサートを楽しむことができる。また、長時間に亘る航海ができるので、コンサートを行うグループも多数のグループを出演させることができる。
【発明の効果】
【００１６】
本発明に係る請求項１から３に記載の舞台船によれば、コンサートの観客である乗客は、コンサートの演奏者と窓に映し出される動く風景を背景として一体感を共有して鑑賞することができるので、その瞬間にしか鑑賞できない自然の風景と演奏者との融合を特別に鑑賞することができる。また、ステージの背景が流れる景色となって、コンサートの演奏者を浮かび上がらせる効果がある。また、同じコンサートでも昼や夜の時間帯によって、観客に違う感動を与える効果がある。また、夏や海をイメージする楽曲や、船の揺れと楽曲のリズムとの相乗効果が期待でき、コンサートを盛り上げることができる。また、短時間の日帰りコンサートだけでなく、長時間に亘るコンサートもできる。また、航海を終えた際に、素晴しい演出のコンサートとの相乗効果で大きな達成感を得ることができる。
【図面の簡単な説明】
【００１７】
【図１】本発明の実施するための形態に係る舞台船の模式的斜視図である。
【図２】本発明の実施するための形態に係る舞台船であって、コンサートホール部分の模式的平面図である。
【図３】本発明の実施するための形態に係る舞台船であって、コンサートホール部分の模式的側面図である。
【図４】本発明の実施するための形態に係る舞台船であって、コンサートホールの客席からコンサートステージ（舞台）を観た模式的斜視図である。
【発明を実施するための形態】
【００１８】
本発明に係る舞台船１は、図１に示すように、船体１３と、コンサートホール窓５に囲われたコンサートホール２と、船を操船する航海船橋１２と、から少なくとも備えており、また、観客２２が宿泊や休憩できる客室１１を設けてもよい。
【００１９】
コンサートホール２は、図２及び図３に示すように、本発明に係る舞台船１の前方（船首側）に設けられたステージ（舞台）３と、舞台船１の後方（艫側）に向かって高くなっていく客席４と、ステージ３の前方に設けられたコンサートホール窓５と、を少なくとも設けており、必要に応じて階段通路４−１、通路４−２、ステージ用階段３−１を設け、客席４の下の空間に、演奏者控室、トイレ、売店、倉庫等を設けてもよい。
【００２０】
ステージ（舞台）３は、コンサートホール２の船首側に向けられており、後方に客席４を設け、ステージ３の後方及び側面をコンサートホール窓５で囲われている。このことにより、ステージ３は、航海中、コンサートホール窓５に映し出される動く風景を背景とした舞台３とすることができる。よって、観客２２は、その瞬間、瞬間で、その時でなければ生じない自然の背景と演奏者２１との融合を鑑賞することができる。
【００２１】
客席４は、ステージ３の後方（艫側）に設けられており、後方に行くほど階段状に高くなっている。よって、客席４のどの位置からも演奏者２１と共にコンサートホール窓５に映し出される船外の風景を鑑賞することができる。また、客席４の前後の位置によって、客席４の高さが変わるので、客席４毎に、それぞれ、コンサートホール窓５に映し出される背景や演奏者２１の見え方が変わり、その印象が全く変わってくるので、観客２２は、様々な位置の客席４でコンサートを鑑賞してみたくなる。よって、本発明に係る舞台船１は、観客２２のリピーターが増える効果がある。また、航海時には舞台船１が揺れるので、音楽のリズムと相俟って、より音楽を盛り上げることができる。
【００２２】
コンサートホール窓５は、図１、図２、図３に示すように、客席４の側面から舞台３の背面を通って、客席４の反対側の側面まで設けられている。これによって、窓５の上下が額縁のようになって、コンサートホール窓５に映る風景が動く絵のように見える。コンサートホール窓５は、透明であればよく、無色が好適であるが着色していてもよい。また、材質は、ガラス製でもよいし、アクリル製でもよい。また、透明な窓５であれば、出港時や帰港時に、船外の人々に、コンサートホール２内のコンサートを宣伝できる効果もある。また、窓５の高さは、２．５ｍ以上あれば客席４から船外の風景が背景として、観客２２がはっきりと認識できるので好適である。なお、窓５の高さが高くなった場合は、強度を確保するために、窓５に桟を入れて分割してもよい。また、コンサートホール窓５には、位置毎に開閉できるカーテンを設けて、必要に応じて場所別にカーテンを使うようにすることもできる。
【００２３】
客室１１は、個室や団体用大部屋、トイレ、浴室、洗面所、食堂等があり、観客２２や演奏者２１が宿泊や休憩をすることができる。よって、日帰り航海だけではなく、長期航海もできる。よって、本発明に係る舞台船１は、長時間に亘るコンサートを開催することができる。
【００２４】
航海船橋１２は、本発明に係る舞台船１を、操船するための部屋であり、舞台船１の操船に関わる乗組員が常駐している。
【００２５】
また、本発明に係る舞台船１の使用方法の一例を示す。観客２２と演奏者２１と乗組員を本発明に係る舞台船１に乗船させてから出航する。そのまま、ある程度景色が良い位置まで航海してから、コンサートを開始する。本発明に係る舞台船１は、航海を継続しながら演奏者２１がコンサートを行い、客席４の観客２２はそのコンサートを鑑賞する。この際に、図４に示すように、コンサートホール窓５に映る動く風景が、演奏者２１の背景となるので、観客２２は、その瞬間、瞬間で、その時でなければ生じない自然の背景と演奏者２１との融合を鑑賞することができる。よって、印象が深くなって、鮮明にコンサートを記憶することができて、より思い出を心に深く刻み込むことができる。よって、演奏者２１側からは、コンサートを盛り上げることができるし、観客２２側からは、コンサートが盛り上がって、航海の思い出と相俟って、一生忘れられない素晴らしい思い出にすることができる。コンサートが終わり、帰港して観客２２等は帰路につく。なお、出港する港と帰港する港は、同じでも良いし、異なっていても良い。
【００２６】
本発明に係る舞台船１を使用すれば、コンサートホール窓５に映る動く風景が演奏者２１の背景となるので、観客２２は、その瞬間、瞬間で、その時でなければ生じない自然の背景と演奏者２１との融合を鑑賞することができる。また、階段状の客席４になっているので、観客２２は、様々な角度からコンサート等を鑑賞することができる。また、舞台船１の揺れのリズムと音楽のリズムとが相俟って、よりコンサートを盛り上げることができる。また、屋内でコンサートを行うから天候に左右されずに開催できるので、コンサートの中止がなく、観客２２は安心して予定を組むことができる。また、演奏者２１は、海や夏をイメージする歌を歌う際に、より動く海の風景と相俟って、観客２２を盛り上げることができる。また、演奏者２１の背景である風景が迫ってくるので、より、演奏者２１を注視できる作用があり、観客２２は、コンサートにのめり込ませることができる。また、同じ風景でも時間帯によって、海の表情が変わるため、観客２２は、背景に飽きがこない。また、観客２２同士は、同じコンサートで盛り上がりと共に、同じ航海をした仲間なので、仲間意識が芽生え、仲良くなれる。また、帰港時刻が決まっているので、コンサートの終わりの時間も決まっており、観客２２は、何度もアンコールができないので、少し心残りになり、また乗船したいと思う。よって、演奏者２１やイベントの主催者は、リピータ客を捕まえやすい。
【産業上の利用可能性】
【００２７】
コンサートを行う施設として広く利用することができる。
【符号の説明】
【００２８】
１：舞台船
２：コンサートホール  
３：ステージ（舞台）                      ３−１：ステージ用階段
４：客席            ４−１：階段通路      ４−２：通路
５：コンサートホール窓
１１：客室            １２：航海船橋        １３：船体
２１：演奏者                                ２２：観客
１００：海        
【図１】
2020032792.tif 000003
【図２】
2020032792.tif 000004
【図３】
2020032792.tif 000005
【図４】
2020032792.tif 000006
【手続補正書】
【提出日】令和1年11月15日(2019.11.15)
【手続補正１】
【補正対象書類名】特許請求の範囲
【補正対象項目名】請求項１
【補正方法】変更
【補正の内容】
【請求項１】
航海をしながら船内でコンサートを行い、該コンサートを鑑賞するためのコンサート用の舞台船であって、該コンサートを行うコンサートホールの船首側に設けられたステージと、該ステージの艫側に設けられ後方に行くほど高く配置された階段状客席と、該ステージの該客席と反対側に設けられて船外の風景が映し出される窓と、を少なくとも備え、前記窓に映った風景を背景として前記ステージで前記コンサートができ、
前記コンサートホールが船体の中央部位に設けられ、このコンサートホールの上部に航海船橋が備えられ、前記窓が、前記客席の一方の側面から前記ステージの背面を通って前記客席の他方の側面まで設けられていることを特徴とするコンサート用の舞台船。